(57)【要約】【課題】操作されるタッチパネル上の座標領域を分散化することができ、タッチパネルディスプレイを長寿命化することにある。【解決手段】機能ボタンが操作されたことを検出し、当該機能ボタンの操作回数を計数するボタン操作回数カウンタ部２４と、座標領域が操作されたことを検出し、当該座標領域の操作回数を計数する座標操作回数カウンタ部２３と、機能ボタン毎の操作回数と座標領域毎の操作回数を比較し、該比較の結果として座標領域毎の操作回数と機能ボタン毎の操作回数の比が基準倍数値を超えている場合に、各座標領域に対する各機能ボタンの割り当てを変更するボタン割当部２５と、を備える。【選択図】図１
2015148872.tif 000002
【特許請求の範囲】
【請求項１】
前記タッチパネルディスプレイに表示された複数の機能ボタンと、前記各機能ボタンと一対一で対応しかつ前記機能ボタンを操作したときに検出される複数の座標領域と、を備えたタッチパネルディスプレイの制御装置であって、
前記機能ボタンが操作されたことを検出し、当該機能ボタンの操作回数を計数する機能ボタン操作回数計数手段と、
前記座標領域が操作されたことを検出し、当該座標領域の操作回数を計数する座標操作回数計数手段と、
前記機能ボタン毎の操作回数と前記座標領域毎の操作回数を比較し、該比較の結果として前記座標領域毎の操作回数と前記機能ボタン毎の操作回数の比が基準倍数値を超えている場合に、前記各座標領域に対する前記各機能ボタンの割り当てを変更するボタン割当手段と、を備えたことを特徴とするタッチパネルディスプレイの制御装置。
【請求項２】
前記タッチパネルディスプレイ上のフリック操作を検出し、該フリック操作に応じて機能ボタン画面の一部が表示される表示領域を移動させる表示領域移動手段と、
前記フリック操作に応じて前記表示領域を移動させる場合に、前記操作回数の少ない座標領域に操作回数の多い機能ボタンの表示位置を位置させるように制御する制御手段と、を備えたことを特徴とする請求項１に記載のタッチパネルディスプレイの制御装置。
【請求項３】
前記制御手段は、前記フリック操作に応じて前記表示領域を移動する場合に、前記操作回数の多い座標領域に操作回数の少ない機能ボタンの表示位置を位置させるように制御することを特徴とする請求項２に記載のタッチパネルディスプレイの制御装置。
【請求項４】
前記タッチパネルディスプレイ上のポップアップメニューに表示される機能ボタンへの選択操作を検出し、該操作に応じて機能ボタンに割り当てた動作モードを実行するように制御する制御手段を備え、
前記制御手段は、前記ポップアップメニューを表示する場合に、前記操作回数の少ない座標領域に操作回数の多い機能ボタンを配置するように制御することを特徴とする請求項１に記載のタッチパネルディスプレイの制御装置。
【請求項５】
前記制御手段は、前記操作回数の多い座標領域に操作回数の少ない機能ボタンを配置するように制御することを特徴とする請求項４に記載のタッチパネルディスプレイの制御装置。
【請求項６】
異なるユーザを指定するための複数のユーザ選択ボタンをタッチパネルディスプレイ上に表示するとともに、複数の前記ユーザ選択ボタンの何れか一つが操作されたことを検出し、当該ユーザが操作中であると決定するユーザ特定手段を備え、
前記機能ボタン操作回数計数手段は、前記タッチパネルディスプレイ上に表示された機能ボタンが操作されたことを検出し、当該特定の座標領域の操作回数を計数して前記ユーザ毎に記憶し、
前記制御手段は、前記ユーザ毎に各座標領域の操作回数が分散するように前記ボタン割当手段を制御することを特徴とする請求項２乃至５の何れか一項に記載のタッチパネルディスプレイの制御装置。
【請求項７】
前記機能ボタン操作回数計数手段は、前記タッチパネルディスプレイに表示される操作画面の少なくとも１つの階層に表示された機能ボタンを対象として計数することを特徴とする請求項１乃至６の何れか一項に記載のタッチパネルディスプレイの制御装置。
【請求項８】
前記制御手段は、操作回数が多い該機能ボタンを優先して予め割り当てるように制御することを特徴とする請求項２乃至７の何れか一項に記載のタッチパネルディスプレイの制御装置。
【請求項９】
請求項１乃至８の何れか一項に記載のタッチパネルディスプレイの制御装置を備えたことを特徴とする画像形成装置。
【発明の詳細な説明】
【技術分野】
【０００１】
本発明は、タッチパネルディスプレイの長寿命化に好適なタッチパネルディスプレイの制御装置、及び画像形成装置に関する。
【背景技術】
【０００２】
近年、タッチパネルディスプレイがその使いやすさに起因して広く普及している。タッチパネルとしては、抵抗膜や静電誘導式などで構成されている。タッチパネルディスプレイの構造の一種として抵抗膜を利用したものでは、その打鍵寿命の短さが短所とされている。タッチパネルディスプレイ上の同じ位置が操作されることを回避することにより抵抗膜の劣化を防いで長寿命化するための技術が既に知られている。
また、抵抗膜が劣化した場合に、タッチパネルディスプレイ上に表示された機能ボタンの位置を変更することにより、タッチパネルディスプレイ全体として長寿命化する技術が既に知られている。
【０００３】
このような従来の技術として特許文献１〜３には以下のような点が開示されている。
特許文献１には、タッチパネルを長寿命化させる目的で、同じ座標を押されることを回避するために、その機能のタッチ感応領域内を一回り小さいボタンが自由に位置を変えることにより、操作位置を分散させるという構成が開示されている。
特許文献２には、タッチパネルを長寿命化させる目的で、操作された座標が劣化しているかどうか操作されたときの抵抗値と、基準の抵抗値を比較することにより、劣化と判断した場合には劣化した座標にある位置のボタンの位置を変更するという構成が開示されている。
特許文献３には、タッチパネルを長寿命化させる目的で、ボタンが操作された回数をカウントし、カウント数がある一定値以上操作されたときにボタンの位置を入れ替えるという構成が開示されている。
【発明の概要】
【発明が解決しようとする課題】
【０００４】
しかし、従来の技術では、確実に劣化を防ぐことができない、また、機能ボタンの位置を変更するという方法では使い勝手が悪くなるといった問題があった。また、追加の部品が必要となり回路、制御が複雑化、コストアップする等といった問題があった。
特許文献１にあっては、操作位置を分散させる点が開示さている。しかし、感応位置自体は変わらないために確実に劣化を防ぐことはできないという問題は解消できていない。
特許文献２にあっては、劣化を防いで誤作動をなくすという点が開示さている。しかし、座標劣化値及び入力回数を変数として入力領域毎の総合劣化値を算出し、入力領域毎に算出した総合劣化値の最大値及び最小値を抽出し、総合劣化値が最大値の入力領域に設定されたタッチキーの表示パターンを、総合劣化値が最小値の入力領域に移動するため、従来と異なる位置に機能ボタンが移動するため使い勝手が悪くなるという問題は解消できていない。
特許文献３にあっては、劣化を防いで誤作動をなくすという点が開示さている。しかし、操作キーの操作数をカウントし、カウント数が予め設定された比較設定値より大きくなったとき、該カウント数が大きくなった操作キーの配置を新操作キーに変更するため、従来と異なる位置に機能ボタンが移動するため使い勝手が悪くなるという問題は解消できていない。
本発明は、上記に鑑みてなされたもので、その目的としては、操作されるタッチパネル上の座標領域を分散化することができ、タッチパネルディスプレイを長寿命化することにある。
【課題を解決するための手段】
【０００５】
請求項１記載の発明は、上記課題を解決するため、前記タッチパネルディスプレイに表示された複数の機能ボタンと、前記各機能ボタンと一対一で対応しかつ前記機能ボタンを操作したときに検出される複数の座標領域と、を備えたタッチパネルディスプレイの制御装置であって、前記機能ボタンが操作されたことを検出し、当該機能ボタンの操作回数を計数する機能ボタン操作回数計数手段と、前記座標領域が操作されたことを検出し、当該座標領域の操作回数を計数する座標操作回数計数手段と、前記機能ボタン毎の操作回数と前記座標領域毎の操作回数を比較し、該比較の結果として前記座標領域毎の操作回数と前記機能ボタン毎の操作回数の比が基準倍数値を超えている場合に、前記各座標領域に対する前記各機能ボタンの割り当てを変更するボタン割当手段と、を備えたことを特徴とする。
【発明の効果】
【０００６】
本発明によれば、機能ボタン毎の操作回数と座標領域毎の操作回数を比較し、該比較の結果として座標領域毎の操作回数と機能ボタン毎の操作回数の比が基準倍数値を超えている場合に、各座標領域に対する各機能ボタンの割り当てを変更することで、操作されるタッチパネル上の座標領域を分散化することができ、タッチパネルディスプレイを長寿命化することができる。
【図面の簡単な説明】
【０００７】
【図１】本発明の実施形態に係わるタッチパネルディスプレイの制御装置に適用可能な操作表示装置のブロック構成を説明するための図である。
【図２】図１に示すタッチパネルディスプレイ部に表示される表示画面に対応した座標領域の一例を示す模式図である。
【図３】図１に示すタッチパネルディスプレイ部に設けられたディスプレイの表示領域と画像情報の関係を説明するための模式図である。
【図４】本発明の第２実施形態に係わるタッチパネルディスプレイの制御装置に適用可能な操作表示装置のブロック構成を説明するための図である。
【図５】画面停止位置の決定方法の一例を説明するための図（その１）である。
【図６】画面停止位置の決定方法の一例を説明するための図（その２）である。
【図７】画面停止位置の決定方法の一例を説明するための図（その３）である。
【図８】本発明の第３実施形態に係るタッチパネルディスプレイの制御装置に適用可能な操作表示装置の動作について説明する図である。
【図９】本発明の第４実施形態に係るタッチパネルディスプレイの制御装置に適用可能な操作表示装置の動作について説明する図である。
【図１０】（ａ）〜（ｄ）は機能選択画面をポップアップで表示することを示す説明図である。
【発明を実施するための形態】
【０００８】
本発明の実施形態を説明する。
本発明は、抵抗膜式タッチパネルディスプレイの制御に際して、以下の特徴を有する。要するに、操作された座標領域の操作回数と操作された機能ボタンの操作回数との両方をそれぞれ計数する。操作回数の少ない座標領域ほど操作回数のより多い機能ボタンを、或いは押された操作回数の多い座標領域ほど操作回数のより少ない機能ボタンを配置することにより操作されるタッチパネル上の座標領域を分散化できることが特徴になっている。
【０００９】
本発明の特徴について、以下の図面を用いて詳細に解説する。
＜第１実施形態＞
図１は、本発明の実施形態に係わるタッチパネルディスプレイの制御装置に適用可能な操作表示装置１のブロック構成を説明するための図である。
図１に示す操作表示装置１のブロック図を参照して、基本構成について説明する。
操作表示装置１は、情報入出力装置１０と、制御装置２０と、を備えている。
情報入出力装置１０は、タッチパネルディスプレイ部１１、座標情報出力部１２、描画部１３を備えている。
タッチパネルディスプレイ部１１は、ディスプレイを構成する液晶基板の表示画面上に重ねて配置されたタッチパネル１１ａを有し、タッチパネル上の特定領域へのユーザの押下操作に応じて、タッチパネル１１ａ上の各領域のＯＮ／ＯＦＦ状態を座標情報出力部１２に出力する。
タッチパネルディスプレイ部１１には、複数の機能ボタンが表示されており、各機能ボタンと一対一で対応しかつ機能ボタンを操作したときに検出される複数の座標領域を有している。
座標情報出力部１２は、ユーザによるタッチパネル１１ａへの押下操作に応じて、タッチパネルディスプレイ部１１から入力したタッチパネル上の各領域のＯＮ／ＯＦＦ状態をタッチパネル上の座標情報に変換して制御装置２０に出力する。
描画部１３は、制御装置２０から入力した描画情報をタッチパネルディスプレイ部１１に描画して表示する。
【００１０】
制御装置２０は、座標情報入力部２１、座標操作回数カウンタ部２３、ボタン操作回数カウンタ部２４、ボタン割当部２５、画像情報出力部２６、表示領域移動部２７、制御部２８を備えている。
座標情報入力部２１は、情報入出力装置１０から入力した座標情報に基づいて、操作された座標と、操作された機能ボタンを検出し、検出結果を表す座標情報と機能情報をそれぞれ座標操作回数カウンタ部２３、ボタン操作回数カウンタ部２４に出力する。
座標操作回数カウンタ部２３は、座標領域毎に異なるカウンタを有し、特定の座標領域が操作されたことを検出し、当該座標領域を担当するカウンタが操作回数を計数する。
ボタン操作回数カウンタ部２４は、画像情報出力部２６から入力された割当情報を参照し、機能ボタン毎に異なるカウンタを有し、特定の機能ボタンが操作されたことを検出し、当該機能ボタンを担当するカウンタが操作回数を計数する。
【００１１】
ボタン割当部２５は、ボタン操作回数カウンタ部２４からの機能ボタン毎の操作回数と、座標操作回数カウンタ部２３からの座標領域毎の操作回数を入力し、機能ボタン毎の操作回数と、座標領域毎の操作回数を比較する。さらに、ボタン割当部２５は、該比較の結果として座標領域毎の操作回数と機能ボタン毎の操作回数の比が基準倍数値を超えている場合に、各座標領域に対する各機能ボタンの割り当てを変更する。
ボタン割当部２５は、各座標領域に対する各機能ボタンの割り当てを変更する際に、操作回数の多い機能ボタンを操作回数の少ない座標に配置し、また操作回数の少ない機能ボタンを操作回数の多い座標に配置し、配置結果を割当情報として画像情報出力部２６出力する。
画像情報出力部２６は、ボタン割当部２５より得た割当情報をボタン操作回数カウンタ部２４に出力するとともに、ボタン割当部２５より得た割当情報を含む描画データを情報入出力装置１０に出力する。
表１は、機能ボタンの配置位置と配置位置に対応するテキストから構成される割当情報を示すテーブルである。
【００１２】
【表１】
2015148872.tif 000003
【００１３】
図２に示す模式図を参照して、タッチパネルディスプレイ部１１と座標領域の対応関係について説明する。図２は、タッチパネルディスプレイ部１１に表示される表示画面に対応した座標領域の一例を示す模式図である。
図２に示すように、タッチパネルディスプレイ部１１に設けられたタッチパネル１１ａの物理的な位置をいくつかの領域に分割して扱う。図２に示す例では、横方向に３分割、縦方向に２分割、すなわち６分割（Ａａ、Ａｂ、Ｂａ、Ｂｂ、Ｃａ、Ｃｂ）している。
タッチパネルディスプレイ部１１は、ユーザによるタッチパネルへの押下操作に応じて、タッチパネル１１ａ上の各領域のＯＮ／ＯＦＦ状態を座標情報出力部１２に出力する。
座標情報出力部１２は、ユーザによるタッチパネル１１ａへの押下操作に応じて、タッチパネルディスプレイ部１１から入力したタッチパネル１１ａ上の各領域のＯＮ／ＯＦＦ状態をタッチパネル１１ａ上の座標情報に変換して制御装置２０に出力する。この際、ユーザによるタッチパネル１１ａへの押下操作に応じて、座標情報出力部１２から座標Ａａ、Ａｂ、Ｂａ、Ｂｂ、Ｃａ、Ｃｂのうち何れか１つの座標が制御装置２０に出力される。
【００１４】
図３に示す模式図を参照して、タッチパネルディスプレイ部１１に設けられたディスプレイの表示領域１１ｂと画像情報１１ｃの関係について説明する。図３は、タッチパネルディスプレイ部１１に設けられたディスプレイの表示領域１１ｂと画像情報１１ｃの関係を説明するための模式図である。
描画部１３は、画像情報を展開するためのＶＲＡＭ（図示しない）を有し、ＶＲＡＭから表示レートで読み出した画像情報をディスプレイの表示画面、すなわち、図３に示す表示領域に表示する。
ここで、ディスプレイの表示領域１１ｂは、ＶＲＡＭに展開されている画像情報１１ｃと比較すると、縦方向は同一であるが、横方向については画像情報１１ｃの方が例えば２倍程度長い。
このように、表示領域１１ｂよりも画像情報１１ｃの方を横方向に長く構成する目的は、表示領域１１ｂに表示される機能ボタンの数よりも、画像情報１１ｃに含まれる機能ボタンの数の方が多いからである。
【００１５】
図３に示すディスプレイの表示領域１１ｂに表示されていない画像情報の部分を表示させるには、タッチパネル１１ａに対してフリック操作（ユーザが指などでタッチパネルに触れたまま指を左右に移動させる操作）を行う必要がある。フリック操作が行われた場合、ＶＲＡＭから読み出す画像情報の読み出し位置が変更されるので、結果としてディスプレイの表示領域１１ｂが移動して所望の画像情報を表示することができる。フリック操作に応じて、機能ボタンを有する画像情報の読み出し位置を移動しながら表示領域１１ｂに表示でき、全ての機能ボタンを一部ずつ表示することができる。
このため、図１に示す制御装置２０は、表示領域移動部２７、制御部２８を備えている。
表示領域移動部２７は、座標情報入力部２１から入力される座標情報に基づいて、タッチパネルディスプレイ１１上のフリック操作を検出し、該フリック操作に応じて機能ボタン画面の一部が表示される表示領域を移動させる。
制御部２８は、フリック操作に応じて表示領域を移動させる場合に、操作回数の少ない座標領域に操作回数の多い機能ボタンの表示位置（ＶＲＡＭからの読み出し位置）を位置させるように制御する。なお、図３に示す画像情報１１ｃの右端位置から左端位置へループするようにＶＲＡＭからの読み出し位置を制御してもよい。
【００１６】
表２に示すテーブルを参照して、座標操作回数カウンタ部２３の詳細な構成及びカウント結果について説明する。表２は、座標操作回数カウンタ部２３の詳細な構成及びカウント結果について説明するためのテーブルである。
【００１７】
【表２】
2015148872.tif 000004
【００１８】
座標操作回数カウンタ部２３は、表２に示すように、ＲＡＭ上に座標領域毎に異なる回数カウンタ欄、順位欄を有し、特定の座標領域が操作されたことを検出し、当該座標領域を担当するカウンタが操作回数を計数してテーブル２３ａに記憶する。
ユーザにより機能ボタンの押下操作やフリック操作があった場合に、座標操作回数カウンタ部２３は、各座標が操作された回数を計数し、座標毎に操作回数をテーブル２３ａに記憶する。
また、座標操作回数カウンタ部２３は、表２に示すように、テーブル２３ａに順位欄を有し、座標毎の回数が大きい順に１〜６という順位を逐次更新してもよい。
【００１９】
表３に示すテーブルを参照して、ボタン操作回数カウンタ部２４の詳細な構成及びカウント結果について説明する。表３は、ボタン操作回数カウンタ部２４の詳細な構成及びカウント結果について説明するためのテーブルである。
【００２０】
【表３】
2015148872.tif 000005
【００２１】
ボタン操作回数カウンタ部２４は、表３に示すように、ＲＡＭ上に機能ボタン毎に異なる回数カウンタ欄、順位欄を有し、特定の機能ボタンが操作されたことを検出し、当該機能ボタンを担当するカウンタが操作回数を計数してテーブルに記憶する。
ユーザにより機能ボタンの押下操作やフリック操作があった場合に、ボタン操作回数カウンタ部２４は、各機能ボタンが操作された回数を計数し、機能ボタン毎に操作回数をテーブルに記憶する。
また、ボタン操作回数カウンタ部２４は、表３に示すように、テーブルに順位欄を有し、機能毎の回数が大きい順に１〜１２という順位を逐次更新してもよい。
ボタン操作回数カウンタ部２４は、図３に示す画像情報のような上位画面についての機能ボタンの操作回数を記憶している。これに加えて、例えばＦＡＸボタンが選択された後に宛先一覧を表示するような場合にも、ボタン操作回数カウンタ部２４は、宛先ボタンに関して操作回数を計数することで、上位画面よりも深い階層の中位画面や下位画面に対して機能ボタンを計数してもよい。
また、ボタン操作回数カウンタ部２４は、タッチパネルディスプレイに表示される操作画面の少なくとも１つの階層に表示された機能ボタンを対象として計数するように構成してもよい。
【００２２】
次に、図１〜図３を参照して、本発明の第１実施形態に係るタッチパネルディスプレイの制御装置に適用可能な操作表示装置１の動作について説明する。
描画部１３は、制御装置２０から入力した描画情報をタッチパネルディスプレイ部１１に描画して表示する。例えば、図３に示すように、タッチパネルディスプレイ部１１の表示領域１１ｂに複数の機能ボタンのうちの一部が表示される。
ユーザがタッチパネル１１ａへ押下操作を行った場合、ユーザによるタッチパネル１１ａへの押下操作に応じて、タッチパネルディスプレイ部１１から座標情報出力部１２にタッチパネル上の各領域のＯＮ／ＯＦＦ状態が入力される。座標情報出力部１２は、タッチパネル上の各領域のＯＮ／ＯＦＦ状態をタッチパネル上の座標情報に変換して制御装置２０に出力する。
【００２３】
次いで、座標情報入力部２１は、情報入出力装置１０から入力した座標情報に基づいて、操作された座標と、操作された機能ボタンを検出し、検出結果を表す座標情報と機能情報をそれぞれ座標操作回数カウンタ部２３、ボタン操作回数カウンタ部２４に出力する。
ユーザにより機能ボタンの押下操作やフリック操作があった場合に、座標操作回数カウンタ部２３は、各座標が操作された回数を計数し、座標毎に操作回数をテーブルに記憶する。
また、座標操作回数カウンタ部２３は、表２に示すように、テーブルに順位欄を有し、座標毎の回数が大きい順に１〜６という順位を逐次更新する。
ユーザにより機能ボタンの押下操作やフリック操作があった場合に、ボタン操作回数カウンタ部２４は、各機能ボタンが操作された回数を計数し、機能ボタン毎に操作回数をテーブルに記憶する。
また、ボタン操作回数カウンタ部２４は、表３に示すように、テーブルに順位欄を有し、機能毎の回数が大きい順に１〜１２という順位を逐次更新する。
【００２４】
次いで、ボタン割当部２５は、ボタン操作回数カウンタ部２４からの機能ボタン毎の操作回数と、座標操作回数カウンタ部２３からの座標領域毎の操作回数を入力し、機能ボタン毎の操作回数と、座標領域毎の操作回数を比較する。さらに、ボタン割当部２５は、該比較の結果として座標領域毎の操作回数と機能ボタン毎の操作回数の比が基準倍数値を超えている場合に、各座標領域に対する各機能ボタンの割り当てを変更する。
例えば、ボタン割当部２５は、機能ボタン毎の操作回数のうち順位が１位になった機能「モノクロコピー」の操作回数「４７２」（表３参照）と、座標領域毎の操作回数のうち順位が１位になった座標「Ｂａ」の操作回数「８７４」（表２参照）を比較する。さらに、ボタン割当部２５は、該比較の結果として座標領域毎の操作回数と機能ボタン毎の操作回数の比「８７４／４７２」が基準倍数値として例えば「２」を超えている場合に、各座標領域に対する各機能ボタンの割り当てを示す割当情報を変更する。
なお、上述した方法とは別に、機能ボタン毎の操作回数及び座標領域毎の操作回数のうち順位が２位になった場合の操作回数の比が基準倍数値を超えている場合に、各座標領域に対する各機能ボタンの割り当てを示す割当情報を変更するように構成してもよい。
【００２５】
このように、機能ボタン毎の操作回数と座標領域毎の操作回数を比較し、該比較の結果として座標領域毎の操作回数と機能ボタン毎の操作回数の比が基準倍数値を超えている場合に、各座標領域に対する各機能ボタンの割り当てを変更する。これにより、操作されるタッチパネル上の座標領域を分散化することができ、タッチパネルディスプレイを長寿命化することができる。
【００２６】
ここで、ボタン割当部２５は、各座標領域に対する各機能ボタンの割り当てを変更する際に、操作回数の多い機能ボタンを操作回数の少ない座標に配置し、また操作回数の少ない機能ボタンを操作回数の多い座標に配置し、配置結果を割当情報として画像情報出力部２６出力する。
操作回数の多い機能ボタンを操作回数の少ない座標に配置する場合、例えば、操作回数の最も多い機能ボタンである機能「モノクロコピー」（表３参照）を操作回数の最も少ない座標「Ｃｂ」（表２参照）に配置し、配置結果として割当情報を求める。
一方、操作回数の少ない機能ボタンを操作回数の多い座標に配置する場合、例えば、操作回数の最も少ない機能ボタン「ネットワーク設定」（表３参照）を操作回数の最も多い座標「Ｂａ」（表２参照）に配置し、配置結果として割当情報を求める。
表４は、更新後の機能ボタンの配置位置と配置位置に対応するテキストデータから構成される割当情報を示すテーブルである。
【００２７】
【表４】
2015148872.tif 000006
【００２８】
次いで、画像情報出力部２６は、ボタン割当部２５より得た割当情報をボタン操作回数カウンタ部２４に出力するとともに、割当情報から描画情報を生成して情報入出力装置１０に出力する。
次いで、情報入出力装置１０に設けられた描画部１３は、画像情報出力部２６から入力した
描画情報をタッチパネルディスプレイ部１１に描画して表示する。
これにより、操作回数の少ない座標位置に操作回数の多い機能ボタンを、また操作回数の多い座標位置に操作回数の少ない機能ボタンを配置することができ、タッチパネルの各操作座標の使用頻度を分散化することができる。これにより、部品を追加することなく、使い勝手をあまり落とすこと無く、タッチパネルを長寿命化することができる。
また、操作回数が多い該機能ボタンを優先して予め割り当てるように制御するので、操作回数が多い該機能ボタンを優先して機能割当を分散化することができ、タッチパネルディスプレイを長寿命化することができる。
また、タッチパネルディスプレイに表示される操作画面の少なくとも１つの階層に表示された機能ボタンを対象として計数する。これにより、当該階層において操作されるタッチパネル上の座標領域を分散化することができ、タッチパネルディスプレイを長寿命化することができる。
【００２９】
＜第２実施形態＞
図４は、本発明の第２実施形態に係わるタッチパネルディスプレイの制御装置に適用可能な操作表示装置５１のブロック構成を説明するための図である。
図４に示す操作表示装置５１のブロック図を参照して、基本構成について説明する。
操作表示装置５１は、情報入出力装置１０と、制御装置５２と、を備えている。
第２実施形態は、第１実施形態の基本構成に加えて、制御装置５２に設けられたボタン割当部２５に表示領域移動部５３、制御部５４を備えたことを特徴とする。
表示領域移動部５３は、座標情報入力部２１から入力される座標情報に基づいて、所定時間内に操作座標が右から左、又は左から右に移動することを検出する。これにより、タッチパネルディスプレイ１１上のフリック操作を検出し、該フリック操作に応じて機能ボタン画面の一部が表示される表示領域のＶＲＡＭ上の読み出し位置を移動させる。
制御部５４は、表示領域移動部５３により検出されたフリック操作に応じて表示領域を移動させる場合に、操作回数の少ない座標領域に操作回数の多い機能ボタンの表示位置を位置させるように制御する。
制御部５４は、フリック操作に応じて表示領域を移動する場合に、操作回数の多い座標領域に操作回数の少ない機能ボタンの表示位置を位置させるように制御する。
【００３０】
次に、図４〜図７を参照して、本発明の第２実施形態に係るタッチパネルディスプレイの制御装置に適用可能な操作表示装置５１の動作について説明する。
制御部５４は、図５に示すように、座標操作回数カウンタ部２３、ボタン操作回数カウンタ部２４が０のときに、タッチパネルがフリック操作を受けた際に、表示画面の左上の基準線がどの領域で止まるかによって、表示画面全体をどの表示位置で位置させる（停止）かをボタン割当部２５で決める。
図５において領域［２］内で基準線が止まった場合、座標領域Ａａに”カラーコピー”、座標領域Ａｂに”ＦＡＸ”、座標領域Ｂａに”モノクロコピー”が入る位置で画面の移動が止まる。
また、領域［３］内で基準線が止まったならば座標領域Ａａに”モノクロコピー”、座標領域Ａｂに”プリント”、座標領域Ｂａに”カラースキャン”が入る位置で画面の移動が止まる。
【００３１】
座標操作回数カウンタ部２３、ボタン操作カウンタ部２４でのそれぞれの操作回数が表２、表３に示す結果であった場合も、図６に示すように、基準線に対する座標領域の移動動作は同じである。詳しくは、制御部５４は、座標操作回数カウンタ部２３の最も多い座標領域Ｂａとボタン操作回数カウンタ部２３の最も多いモノクロコピーが重なる領域である領域［２］を小さくすることにより座標領域Ｂａと”モノクロコピー”が一致しづらいように制御する。
また、座標ボタン操作回数の２番目に多い座標領域Ａａと”モノクロコピー”が一致しづらいように、領域［３］は領域［２］より広く、領域［１］、［４］より狭い領域に設定する。
これにより、押下される座標が分散され、タッチパネルの長寿命化が図れる。また、機能ボタン全体のレイアウトの変更を伴わないためにユーザの使いやすさを保つことができる。
また、この説明において、操作回数の多い座標領域に操作回数の少ない機能ボタンを配置するように配置変更を行うことになっているが、操作回数の少ない座標領域に操作回数の多い機能ボタンを配置しても、同様の効果が得られる。
【００３２】
図７に示す説明図を参照して、画面停止位置の決定方法について説明する。図７は、画面停止位置の決定方法の一例を説明するための図である。
例えば座標領域Ａａが他の座標領域と比較して最も操作回数が多い場合、図７に示す機能１と機能２についての機能ボタンの操作回数同士を比較し、機能１の操作回数と機能２の操作回数の比が例えば２倍以上であった場合は位置Ｌ５に領域［２］の左端を設定する。
逆に、機能１の操作回数が機能２の操作回数の比として例えば２倍以上であった場合は、位置Ｌ１に領域［２］の左端を設定する。
機能３の操作回数より機能２の操作回数の比が１．５倍〜２倍であった場合は位置Ｌ７に領域［２］の右端を設定し、逆に機能３の操作回数が機能２の操作回数の比が例えば１．５倍〜２倍であった場合は位置Ｌ９に領域［２］の右端を設定する。
【００３３】
このように、タッチパネルディスプレイ上のフリック操作を検出し、該フリック操作に応じて機能ボタン画面の一部が表示される表示領域を移動させる場合に、操作回数の少ない座標領域に操作回数の多い機能ボタンの表示位置を位置させるように制御する。これにより、操作されるタッチパネル上の座標領域を分散化することができ、タッチパネルディスプレイを長寿命化することができる。
また、フリック操作に応じて表示領域を移動する場合に、操作回数の多い座標領域に操作回数の少ない機能ボタンの表示位置を位置させるように制御する。これにより、フリック操作に応じて表示領域を移動する場合でも、操作されるタッチパネル上の座標領域を分散化することができ、タッチパネルディスプレイを長寿命化することができる。
また、それぞれ隣り合う領域の幅を決定することにより、操作される座標を分散化することができる。
また、操作回数が多い該機能ボタンを優先して予め割り当てるように制御するので、操作回数が多い該機能ボタンを優先して機能割当を分散化することができ、タッチパネルディスプレイを長寿命化することができる。
【００３４】
＜第３実施形態＞
次に、図８を参照して、本発明の第３実施形態に係るタッチパネルディスプレイの制御装置に適用可能な操作表示装置６１の動作について説明する。
第３実施形態は、第１実施形態の基本構成に加えて、制御装置５２に設けられたボタン割当部２５にユーザ特定部６２、制御部６３を備えたことを特徴とする。
ユーザ特定部６２は、異なるユーザを指定するための複数のユーザ選択ボタンをタッチパネルディスプレイ上に表示するとともに、複数のユーザ選択ボタンの何れか一つが操作されたことを検出し、当該ユーザが操作中であると決定する。
ボタン操作回数カウント部２４は、タッチパネルディスプレイ上に表示された機能ボタンが操作されたことを検出し、当該特定の座標領域の操作回数を計数してユーザ毎に記憶し、
制御部６３は、ユーザ毎に各座標領域の操作回数が分散するようにボタン割当部２５を制御する。
【００３５】
表５は、本実施形態において、ボタン操作回数カウンタ部２４によりユーザ毎に操作回数の記憶欄を分割して設けたことを示している。
【００３６】
【表５】
2015148872.tif 000007
【００３７】
ボタン操作回数カウンタ部２４では、表５に示すようにユーザ毎に機能ボタンに対する操作回数を計数している。
なお、異なるユーザを指定するための複数のユーザ選択ボタンの画像を画像情報出力部２６から描画部１３へ出力する。これにより、複数のユーザ選択ボタンをタッチパネルに表示しておき、ユーザが特定のユーザ選択ボタンを操作した場合に、特定のユーザが操作中であることが判断できる。
この例では、画像形成装置の機能で示しているが、画像形成装置やＰＣなど、近年では端末をあるグループで共有し使用することが多くなっている。その際にセキュリティの保障や、使い方、デザインをカスタマイズできるようユーザ毎にアカウントを設定し使用することが一般的である。
ユーザ特定部６２は、異なるユーザを指定するための複数のユーザ選択ボタンをタッチパネルディスプレイ上に表示するとともに、複数のユーザ選択ボタンの何れか一つが操作されたことを検出し、当該ユーザが操作中であると決定する。
【００３８】
ユーザ１はコピーを中心にした使用、ユーザ２はスキャナやストレージ操作を中心にした使用、ユーザ３はＦＡＸを中心にした使用、というようにユーザの役割に起因して使用する機能は異なる。
この場合に、ユーザ毎にどの機能ボタンを使用したかをカウントし、共通の座標操作回数カウンタ部２３と、ログインした後に操作しているユーザのボタン操作回数カウンタ部２４を比較する。これにより、機能ボタンの配置を変更し、更に効率的に操作される座標領域を分散化させることができる。
このように、タッチパネルディスプレイ上に表示された機能ボタンが操作されたことを検出し、当該特定の座標領域の操作回数を計数してユーザ毎に記憶し、ユーザ毎に各座標領域の操作回数が分散するようにボタン割当部を制御する。これにより、ユーザ毎に各座標領域の操作回数を分散することができる。
また、操作回数が多い該機能ボタンを優先して予め割り当てるように制御するので、操作回数が多い該機能ボタンを優先して機能割当を分散化することができ、タッチパネルディスプレイを長寿命化することができる。
【００３９】
＜第４実施形態＞
次に、図９を参照して、本発明の第４実施形態に係るタッチパネルディスプレイの制御装置に適用可能な操作表示装置７１の動作について説明する。
第４実施形態は、第１実施形態の基本構成に加えて、制御装置５２に設けられたボタン割当部２５に制御部７２を備えたことを特徴とする。
制御部７２は、タッチパネルディスプレイ上のポップアップメニューに表示される機能ボタンへの選択操作を検出し、該操作に応じて機能ボタンに割り当てた動作モードを実行するように制御する。
制御部７２は、ポップアップメニューを表示する場合に、操作回数の少ない座標領域に操作回数の多い機能ボタンを配置するように制御する。
【００４０】
図１０（ａ）に示す機能ボタンが操作された場合、さらに機能選択画面をポップアップで表示し、機能選択画面を操作回数の少ない座標に機能ボタンの操作回数の多い機能を割り当てることにより、操作座標の分散化を図っている。
ポップアップで機能ボタンが表示されるため、使用する機能ボタンを目視確認し易く、図１０（ｂ）〜（ｄ）に示すように、機能ボタンの配置が使用する毎に変更されても、使い易さを著しく落とすことなく、ユーザが操作できる。
例えば、図１０（ａ）に示す各座標領域の操作回数がＣａ＜Ｂａ＜Ｃｂ＜Ｂｂの順に多くなる場合、機能ボタンの操作回数が”Ａ３コピー”＜”Ａ４コピー”であったときに、図１０（ｂ）に示すように、最も操作される可能性が高い”Ａ４コピー”を最も操作回数の少ない座標領域Ｃａに配置し、次に押される可能性が高いと考えられる”Ａ３コピー”を座標領域Ｂａに配置し、部数選択ボタンをＣｂに配置し、最も操作回数の多い座標である座標領域Ｂｂには部数表示するのみとする。
【００４１】
また、図１０（ｂ）に示す各座標領域の操作回数がＣｂ＜Ｂｂ＜Ｃａ＜Ｂａの順に多くなる場合、機能ボタンの操作回数が”Ａ３コピー”＜”Ａ４コピー”であったときに、図１０（ｂ）に示すように、最も操作される可能性が高い”Ａ４コピー”を最も操作回数の少ない座標領域Ｃｂに配置し、次に押される可能性が高いと考えられる”Ａ３コピー”を座標領域Ｂｂに配置し、部数選択ボタンをＣａに配置し、最も操作回数の多い座標である座標領域Ｂａには部数表示するのみとする。
さらに、図１０（ｃ）に示す各座標領域の操作回数がＢａ＜Ｃａ＜Ｂｂ＜Ｃｂの順に多くなる場合、機能ボタンの操作回数が”Ａ３コピー”＜”Ａ４コピー”であったときに、図１０（ｃ）に示すように、最も操作される可能性が高い”Ａ４コピー”を最も操作回数の少ない座標領域Ｂａに配置し、次に押される可能性が高いと考えられる”Ａ３コピー”を座標領域Ｃａに配置し、部数選択ボタンをＢｂに配置し、最も操作回数の多い座標である座標領域Ｃｂには部数表示するのみとする。
この説明では、カラーコピーボタンに関するものであるが、他の機能ボタンでも同様に制御してもよい。また、本実施形態では、プリンタやファクシミリを備える複合機に適用したが、これに限定することなく、例えば、画像形成装置、パーソナルコンピュータＰＣ、タブレット端末に適用してもよい。
【００４２】
さらに、図１０（ｃ）では、部数選択ボタンが操作される回数が少ないことを想定しているが、常に何部もコピーされるような大型の多機能周辺装置（ＭＦＰ：Multifunction Peripheral）においては最も押される可能性が高い機能ボタンとして設定できるようにしてもよい。
また、最も使用する可能性がある機能を機器使用開始時に設定できるようにしても良い。これらの設定は初期設定時に機能ボタン操作カウンタ部を０以上の値に設定できるようにしておくことで可能となる。
これにより、機器使用開始時から座標操作位置を分散させることができ、タッチパネルを長寿命化することが可能になる。
以上の制御例において、使い勝手は人それぞれであるので使い勝手が著しく悪化すると感じた場合にその制御を個々にＯＮ／ＯＦＦできる機能があることが望ましい。また、ユーザカウントごとに切り替えられるとなおよい。このようなモードを備えることにより、使い勝手を悪化させない範囲でタッチパネルの高寿命化を図ることができる。
タッチパネルにて全体としての機能ボタンの位置関係を変えることなく、「押された座標の回数」と「押された機能ボタンの回数」両方をそれぞれカウントし、押された回数の少ない座標位置に押された回数の多い機能ボタンを、また押された回数の多い座標位置に押された回数の少ない機能ボタンを配置することにより操作座標を分散化できるので、部品を追加することなく、使い勝手をあまり落とすこと無く、タッチパネルを長寿命化することができる。
【００４３】
このように、ポップアップメニューを表示する場合に、操作回数の少ない座標領域に操作回数の多い機能ボタンを配置するように制御する。これにより、ポップアップメニューを表示する場合でも、操作されるタッチパネル上の座標領域を分散化することができ、タッチパネルディスプレイを長寿命化することができる。
また、操作回数の多い座標領域に操作回数の少ない機能ボタンを配置するように制御することで、操作回数の多い座標領域に操作回数の少ない機能ボタンを配置することができ、各座標領域の操作回数を分散することができる。
さらに、タッチパネルディスプレイに表示される操作画面の少なくとも１つの階層に表示された機能ボタンを対象として計数することで、当該階層において操作されるタッチパネル上の座標領域を分散化することができ、タッチパネルディスプレイを長寿命化することができる。
また、操作回数が多い該機能ボタンを優先して予め割り当てるように制御するので、操作回数が多い該機能ボタンを優先して機能割当を分散化することができ、タッチパネルディスプレイを長寿命化することができる。
また、画像形成装置に備えられたタッチパネルディスプレイ上のフリック操作を検出し、該フリック操作に応じて機能ボタン画面の一部が表示される表示領域を移動させる場合に、操作回数の少ない座標領域に操作回数の多い機能ボタンの表示位置を位置させるように制御するので、操作されるタッチパネル上の座標領域を分散化することができ、タッチパネルディスプレイを長寿命化することができる。
【００４４】
＜本発明の実施態様例と効果＞
＜第１態様＞
本態様のタッチパネルディスプレイの制御装置１は、タッチパネルディスプレイ１１に表示された複数の機能ボタンと、各機能ボタンと一対一で対応しかつ機能ボタンを操作したときに検出される複数の座標領域と、を備えたタッチパネルディスプレイの制御装置であって、機能ボタンが操作されたことを検出し、当該機能ボタンの操作回数を計数するボタン操作回数カウンタ部２４と、座標領域が操作されたことを検出し、当該座標領域の操作回数を計数する座標操作回数カウンタ部２３と、機能ボタン毎の操作回数と座標領域毎の操作回数を比較し、該比較の結果として座標領域毎の操作回数と機能ボタン毎の操作回数の比が基準倍数値を超えている場合に、各座標領域に対する各機能ボタンの割り当てを変更するボタン割当部２５と、を備えたことを特徴とする。
本態様によれば、機能ボタン毎の操作回数と座標領域毎の操作回数を比較し、該比較の結果として座標領域毎の操作回数と機能ボタン毎の操作回数の比が基準倍数値を超えている場合に、各座標領域に対する各機能ボタンの割り当てを変更することで、操作されるタッチパネル上の座標領域を分散化することができ、タッチパネルディスプレイを長寿命化することができる。
【００４５】
＜第２態様＞
本態様のタッチパネルディスプレイの制御装置５１は、タッチパネルディスプレイ上のフリック操作を検出し、該フリック操作に応じて機能ボタン画面の一部が表示される表示領域を移動させる表示領域移動部５３と、フリック操作に応じて表示領域を移動させる場合に、操作回数の少ない座標領域に操作回数の多い機能ボタンの表示位置を位置させるように制御する制御部５４と、を備えたことを特徴とする。
本態様によれば、タッチパネルディスプレイ上のフリック操作を検出し、該フリック操作に応じて機能ボタン画面の一部が表示される表示領域を移動させる場合に、操作回数の少ない座標領域に操作回数の多い機能ボタンの表示位置を位置させるように制御するので、操作されるタッチパネル上の座標領域を分散化することができ、タッチパネルディスプレイを長寿命化することができる。
【００４６】
＜第３態様＞
本態様のタッチパネルディスプレイの制御装置５１では、制御部５４は、フリック操作に応じて表示領域を移動する場合に、操作回数の多い座標領域に操作回数の少ない機能ボタンの表示位置を位置させるように制御することを特徴とする。
本態様によれば、フリック操作に応じて表示領域を移動する場合に、操作回数の多い座標領域に操作回数の少ない機能ボタンの表示位置を位置させるように制御するので、フリック操作に応じて表示領域を移動する場合でも、操作されるタッチパネル上の座標領域を分散化することができ、タッチパネルディスプレイを長寿命化することができる。
【００４７】
＜第４態様＞
本態様のタッチパネルディスプレイの制御装置７１では、タッチパネルディスプレイ上のポップアップメニューに表示される機能ボタンへの選択操作を検出し、該操作に応じて機能ボタンに割り当てた動作モードを実行するように制御する制御部７２を備え、制御部７２は、ポップアップメニューを表示する場合に、操作回数の少ない座標領域に操作回数の多い機能ボタンを配置するように制御することを特徴とする。
本態様によれば、ポップアップメニューを表示する場合に、操作回数の少ない座標領域に操作回数の多い機能ボタンを配置するように制御するので、ポップアップメニューを表示する場合でも、操作されるタッチパネル上の座標領域を分散化することができ、タッチパネルディスプレイを長寿命化することができる。
【００４８】
＜第５態様＞
本態様のタッチパネルディスプレイの制御装置７１では、制御部７２は、操作回数の多い座標領域に操作回数の少ない機能ボタンを配置するように制御することを特徴とする。
本態様によれば、操作回数の多い座標領域に操作回数の少ない機能ボタンを配置するように制御することで、操作回数の多い座標領域に操作回数の少ない機能ボタンを配置することができ、各座標領域の操作回数を分散することができる。
＜第６態様＞
本態様のタッチパネルディスプレイの制御装置６１では、異なるユーザを指定するための複数のユーザ選択ボタンをタッチパネルディスプレイ上に表示するとともに、複数のユーザ選択ボタンの何れか一つが操作されたことを検出し、当該ユーザが操作中であると決定するユーザ特定部６２を備え、ボタン操作回数カウンタ部２４は、タッチパネルディスプレイ上に表示された機能ボタンが操作されたことを検出し、当該特定の座標領域の操作回数を計数してユーザ毎に記憶し、制御部６３は、ユーザ毎に各座標領域の操作回数が分散するようにボタン割当部を制御することを特徴とする。
本態様によれば、タッチパネルディスプレイ上に表示された機能ボタンが操作されたことを検出し、当該特定の座標領域の操作回数を計数してユーザ毎に記憶し、ユーザ毎に各座標領域の操作回数が分散するようにボタン割当部を制御することで、ユーザ毎に各座標領域の操作回数を分散することができる。
【００４９】
＜第７態様＞
本態様のタッチパネルディスプレイの制御装置では、ボタン操作回数カウント部は、タッチパネルディスプレイに表示される操作画面の少なくとも１つの階層に表示された機能ボタンを対象として計数することを特徴とする。
本態様によれば、タッチパネルディスプレイに表示される操作画面の少なくとも１つの階層に表示された機能ボタンを対象として計数することで、当該階層において操作されるタッチパネル上の座標領域を分散化することができ、タッチパネルディスプレイを長寿命化することができる。
＜第８態様＞
本態様のタッチパネルディスプレイの制御装置では、制御部は、操作回数が多い該機能ボタンを優先して予め割り当てるように制御することを特徴とする。
本態様によれば、操作回数が多い該機能ボタンを優先して予め割り当てるように制御するので、操作回数が多い該機能ボタンを優先して機能割当を分散化することができ、タッチパネルディスプレイを長寿命化することができる。
＜第９態様＞
本態様の画像形成装置は、タッチパネルディスプレイの制御装置１、５１、６１、７１の何れか１つを備えたことを特徴とする。
本態様によれば、画像形成装置に備えられたタッチパネルディスプレイ上のフリック操作を検出し、該フリック操作に応じて機能ボタン画面の一部が表示される表示領域を移動させる場合に、操作回数の少ない座標領域に操作回数の多い機能ボタンの表示位置を位置させるように制御するので、操作されるタッチパネル上の座標領域を分散化することができ、タッチパネルディスプレイを長寿命化することができる。
【符号の説明】
【００５０】
１…操作表示装置、１０…情報入出力装置、１１…タッチパネルディスプレイ部、１２…座標情報出力部、１３…描画部、２０…制御装置、２１…座標情報入力部、２３…座標操作回数カウンタ部、２４…ボタン操作回数カウンタ部、２５…ボタン割当部、２６…画像情報出力部、２７…表示領域移動部、２８…制御部、１１…タッチパネルディスプレイ
【先行技術文献】
【特許文献】
【００５１】
【特許文献１】特開２００７−０７２５３６公報
【特許文献２】特開２０００−０７６０１３公報
【特許文献３】特開平５−７３２０２号公報
【図１】
2015148872.tif 000008
【図２】
2015148872.tif 000009
【図３】
2015148872.tif 000010
【図４】
2015148872.tif 000011
【図５】
2015148872.tif 000012
【図６】
2015148872.tif 000013
【図７】
2015148872.tif 000014
【図８】
2015148872.tif 000015
【図９】
2015148872.tif 000016
【図１０】
2015148872.tif 000017